(57)【要約】【課題】各機種における稼働の良い時間帯や悪い時間帯を、一見して簡便に把握できるようにすること。【解決手段】各機種の稼働率を所定の時間帯毎に算出する稼働率算出手段１４２と、算出された稼働率を機種毎に記憶する稼働率記憶手段１４５と、記憶情報に基づく複数機種の稼働率の推移状況を併せて出力する出力手段１４７、１４８と、を備える管理装置１４０であって、稼働率記憶手段１４５の記憶情報に基づいて稼働率が所定稼働率以上および／または所定稼働率以下である時間帯を機種毎に特定する時間帯特定手段１４２を備え、出力手段１４７、１４８は、時間帯特定手段１４２にて特定された時間帯の出力態様を、特定された時間帯以外の時間帯の出力態様とは異ならせて、稼働率の推移状況を出力する。【選択図】    図９
2004275224.tif 000002
【特許請求の範囲】
【請求項１】
遊技機において遊技者が遊技中であるか否かを特定可能な情報と、当該遊技機の機種を特定可能な情報とが入力される情報入力手段と、該情報入力手段に入力された情報に基づいて、各機種毎に、当該機種に属する全遊技機に占める遊技者が遊技中である遊技機の割合である稼働率を所定の時間帯毎に算出する稼働率算出手段と、該稼働率算出手段にて算出された稼働率を機種ごとに記憶する稼働率記憶手段と、該稼働率記憶手段の記憶情報に基づく複数機種の稼働率の推移状況を併せて出力する出力手段と、を備える遊技用管理装置であって、
前記稼働率記憶手段の記憶情報に基づいて稼働率が予め定められた所定稼働率以上および／または所定稼働率以下である時間帯を各機種毎に特定する時間帯特定手段を備え、
前記出力手段は、前記時間帯特定手段にて特定された時間帯の出力態様を、当該特定された時間帯以外の時間帯の出力態様とは異ならせて、前記稼働率の推移状況を出力することを特徴とする遊技用管理装置。
【請求項２】
前記所定稼働率を機種毎に設定変更するための機種別設定手段を備える請求項１に記載の遊技用管理装置。
【請求項３】
前記所定稼働率を曜日別に設定変更するための曜日別設定手段を備える請求項１または２に記載の遊技用管理装置。
【請求項４】
前記遊技者が遊技中か否かを特定可能な情報は、遊技機において遊技者が遊技を行っていることを条件として発生する遊技情報と、遊技機の遊技状態を示す遊技状態情報とを含み、前記稼働率算出手段は、前記遊技情報と前記遊技状態情報のいずれかが前記情報入力手段に入力されている期間を稼働期間として前記稼働率を算出する請求項１〜３のいずれかに記載の遊技用管理装置。
【請求項５】
前記稼働率記憶手段の記憶情報に基づいて、各機種の稼働率の一日の平均値を算出する平均値算出手段を備え、前記出力手段は、前記平均値算出手段にて算出された前記一日の平均値を稼働率の推移状況と併せて出力する請求項１〜４のいずれかに記載の遊技用管理装置。
【請求項６】
前記出力手段は、前記稼働率の推移状況をグラフ態様と時系列的数値態様の両方にて出力し、該時系列的数値態様の出力において、前記時間帯特定手段にて特定された時間帯の出力態様を、当該特定された時間帯以外の時間帯の出力態様と異ならせて出力する請求項１〜５のいずれかに記載の遊技用管理装置。
【請求項７】
前記稼働率記憶手段の記憶情報に基づいて、稼働率が予め定められた抽出稼働率以上または予め定められた抽出稼働率以下となった回数が、予め定められた所定期間内において所定回数以上である時間帯を抽出する抽出手段を備え、
前記抽出手段にて抽出された時間帯を出力する抽出結果出力手段を備える請求項１〜６のいずれかに記載の遊技用管理装置。
【発明の詳細な説明】
【０００１】
【発明の属する技術の分野】
本発明は、遊技機の各機種毎の稼働率の情報を管理、出力することのできる遊技用管理装置に関する。
【０００２】
【従来の技術】
従来において、これら遊技機の各機種毎の稼働率の情報を管理、出力することのできる遊技用管理装置としては、各機種毎の稼働率の推移を、同一画面上に表示するものがある。（特許文献１）。
【０００３】
【特許文献１】
特開２００２−２６３３３１号公報
【０００４】
【発明が解決しようとする課題】
これら前記した特許文献１の遊技場管理装置にあっては、複数の機種の稼働率の推移が同一画面上に表示されることで、稼働率推移状況の機種間における比較を簡便に実施できるという一面があるものの、遊技場がこれら稼働率推移を確認する目的の１つとして、例えば稼働率が高い時間帯においてサービスを提供すればより多くの遊技者にサービスを提供でき、逆に稼働率が低い時間帯においてサービスを提供すれば、稼働率の向上に該サービスの提供を資することができることから、これら稼働の良い時間帯や悪い時間帯を把握することがあるが、前記した特許文献１の遊技場管理装置においては、複数機種の稼働率推移が同一画面に表示されることから、各機種における稼働の良い時間帯や悪い時間帯を、一見して簡便に把握することが難しいという問題があった。
【０００５】
よって、本発明は上記した問題点に着目してなされたもので、各機種における稼働の良い時間帯や悪い時間帯を、一見して簡便に把握することのできる遊技用管理装置を提供することを目的としている。
【０００６】
【課題を解決するための手段】
前記した問題を解決するために、本発明の遊技用管理装置は、遊技機において遊技者が遊技中であるか否かを特定可能な情報と、当該遊技機の機種を特定可能な情報とが入力される情報入力手段と、該情報入力手段に入力された情報に基づいて、各機種毎に、当該機種に属する全遊技機に占める遊技者が遊技中である遊技機の割合である稼働率を所定の時間帯毎に算出する稼働率算出手段と、該稼働率算出手段にて算出された稼働率を機種ごとに記憶する稼働率記憶手段と、該稼働率記憶手段の記憶情報に基づく複数機種の稼働率の推移状況を併せて出力する出力手段と、を備える遊技用管理装置であって、
前記稼働率記憶手段の記憶情報に基づいて稼働率が予め定められた所定稼働率以上および／または所定稼働率以下である時間帯を各機種毎に特定する時間帯特定手段を備え、
前記出力手段は、前記時間帯特定手段にて特定された時間帯の出力態様を、当該特定された時間帯以外の時間帯の出力態様とは異ならせて、前記稼働率の推移状況を出力することを特徴としている。
この特徴によれば、稼働率が予め定められた所定稼働率以上および／または所定稼働率以下である時間帯が前記時間帯特定手段にて特定され、該特定された時間帯が他の時間帯とは異なる出力態様にて出力されるようになるので、各機種における稼働の良い時間帯や悪い時間帯を、一見して簡便に把握することができる。
【０００７】
本発明の遊技用管理装置は、前記所定稼働率を機種毎に設定変更するための機種別設定手段を備えることが好ましい。
このようにすれば、遊技機の機種の仕様や導入期間などにより、元々機種毎に稼働率の善し悪しが存在することから、これら機種による稼働率の善し悪しに対応した所定稼働率を設定変更することができる。
【０００８】
本発明の遊技用管理装置は、前記所定稼働率を曜日別に設定変更するための曜日別設定手段を備えることが好ましい。
このようにすれば、通常において稼働率は曜日によって変化するので、これら曜日による稼働率の変化に対応した所定稼働率を設定変更することができる。
【０００９】
本発明の遊技用管理装置は、前記遊技者が遊技中か否かを特定可能な情報は、遊技機において遊技者が遊技を行っていることを条件として発生する遊技情報と、遊技機の遊技状態を示す遊技状態情報とを含み、前記稼働率算出手段は、前記遊技情報と前記遊技状態情報のいずれかが前記情報入力手段に入力されている期間を稼働期間として前記稼働率を算出することが好ましい。
このようにすれば、前記遊技情報と前記遊技状態情報のいずれかが前記情報入力手段に入力されている期間が稼働期間として前記稼働率が算出されるようになるため、例えば大当り中や離席等においても前記遊技情報或いは前記遊技状態情報のいずれかが前記情報入力手段に入力されていれば稼働期間とされるようになるので、これら大当り中や離席等を考慮した正確な稼働率を算出できる。
【００１０】
本発明の遊技用管理装置は、前記稼働率記憶手段の記憶情報に基づいて、各機種の稼働率の一日の平均値を算出する平均値算出手段を備え、前記出力手段は、前記平均値算出手段にて算出された前記一日の平均値を稼働率の推移状況と併せて出力することが好ましい。
このようにすれば、前記平均値算出手段にて算出された前記一日の平均値が稼働率の推移状況とともに出力されることで、推移状況における各稼働率が平均値からどの程度離れているかを簡便に把握でき、例えば、これら平均値からの離れ度合いに応じたサービスを検討できる。
【００１１】
本発明の遊技用管理装置は、前記出力手段は、前記稼働率の推移状況をグラフ態様と時系列的数値態様の両方にて出力し、該時系列的数値態様の出力において、前記時間帯特定手段にて特定された時間帯の出力態様を、当該特定された時間帯以外の時間帯の出力態様と異ならせて出力することが好ましい。
このようにすれば、稼働率推移の機種間での比較はグラフ態様の出力により簡便に行うことができ、稼働の良い時間帯や稼働の悪い時間帯の把握は、時系列的数値態様の出力にて一見して明確に把握できるため、どちらか一方の出力態様のみの場合に比較して、より把握し易い出力となる。
【００１２】
本発明の遊技用管理装置は、前記稼働率記憶手段の記憶情報に基づいて、稼働率が予め定められた抽出稼働率以上または予め定められた抽出稼働率以下となった回数が、予め定められた所定期間内において所定回数以上である時間帯を抽出する抽出手段を備え、
前記抽出手段にて抽出された時間帯を出力する抽出結果出力手段を備えることが好ましい。
このようにすれば、予め定められた抽出稼働率以上または予め定められた抽出稼働率以下となった回数が、予め定められた所定期間内において所定回数以上である時間帯、すなわち所定期間内において繰り返し高い稼働率となった時間帯、或いは所定期間内において繰り返し低い稼働率となった時間帯を簡便に把握することができる。
【００１３】
【発明の実施の形態】
（実施例）
図１は本発明が適用された本実施例の遊技用システムの構成を示す図であり、この遊技用システムは、遊技場において複数配置された遊技島に並設される遊技機としてのカードリーダ式パチンコ機（以下パチンコ機）２に対して１対１に設置される遊技用装置としてのカードユニット３と、遊技場の所定箇所に設置され、カードユニット３にて使用される後述の会員カード（記録媒体）並びにビジターカードの管理等を行うシステムコントローラ１００と、遊技場内に設置された前記パチンコ機２に関する情報を管理する本発明の管理装置であるホールコンピュータ１４０と、から主に構成されており、システムコントローラ１００並びにホールコンピュータ１４０とカードユニット３とはハブ（ＨＵＢ）８’（図３参照）並びに通信ケーブル８を介してデータ通信可能に接続されているとともに、システムコントローラ１００は、通信回線網１１を介して図示しないカード管理会社に設置された管理サーバとデータ通信可能に接続されている。
【００１４】
初めに、本実施例にて用いた記録媒体について説明すると、本実施例では予め会員登録をした会員遊技客に対して発行される会員カードと、カードユニット３に装着されているビジターカードと、の２種類のＩＣカードを記録媒体として用いている。
【００１５】
まず、本発明の記録媒体としての会員カードについて説明すると、この会員カードには、カードユニット３内に設けられている後述のカードリーダライタ３２７と非接触にてデータ通信を行うことが可能な非接触式ＩＣカードが適用されており、その内部メモリには、各会員カードを個別に識別可能なカードＩＤや遊技者特定情報としての会員ＩＤ、カードユニット３とシステムコントローラ１００との通信がオフライン状態の場合に使用されるセキュリティー情報等が書き換え不可に記録されているとともに、カードリーダライタ３２７とのデータ通信により、パチンコ玉の貸出に使用される度数等の情報が書き換え可能に記録される。
【００１６】
次いで、ビジターカードについて説明すると、このビジターカードも会員カードと同様に非接触式ＩＣカードが適用されており、その内部メモリには、各ビジターカードを個別に識別可能なカードＩＤ等が書き換え不可に記録されているとともに、前述したカードリーダライタ３２７とのデータ通信により、パチンコ玉の貸出に使用される度数や装着されているカードユニット３の装置ＩＤ等の情報が書き換え可能に記録される。
【００１７】
次いで、本実施例の遊技用装置であるカードユニット３について簡潔に説明すると、このカードユニット３は、前述のように遊技島に並設される遊技機としてのパチンコ機２に１対１に対応して設置されている。
【００１８】
カードユニット３の前面には、図２に示すように、各種表示部や操作ボタン、紙幣挿入口３０２、硬貨投入口３０３、硬貨返却口３１３、会員カード挿入口３１９、ビジターカード装着口３１８が設けられている。
【００１９】
カードユニット３の前面に設けられる表示部のうち、多機能表示部３０１は、内部に設けられた多機能ＬＥＤ３０１ａの発光態様によりカードユニット３の動作状況等が報知される。
【００２０】
また、カードユニット３の前面に設けられた表示部のうち、変更可能表示部３０５は、後述する貸出処理における貸出単位（１回の貸出操作で使用される度数の大きさ）の変更が可能である場合に、その内部に設けられた変更可能ＬＥＤ３０５ａ（図３参照）が点灯する。貸出単位表示部３０７は、前述した貸出単位が内蔵された貸出単位表示器３０７ａ（図３参照）により表示される表示部であり、度数表示部３０９は、会員カードやビジターカードから読み出された度数やエラーコード等が内蔵された度数表示器３０９ａ（図３参照）により表示される表示部である。方向指示表示部３１１は、対応する遊技機の連結方向を示す表示部であり、遊技機と接続されている場合に内部に設けられた方向指示ＬＥＤ３１１ａ（図３参照）が点灯する。挿入中表示部３１２は、会員カードが挿入中である場合に内部に設けられた挿入中ＬＥＤ３１２ａ（図３参照）が点灯する。会員カード用表示部３１４は、受付中の会員カードから特定される貯蓄玉数に基づく再プレイ可能回数等の情報が内蔵された会員カード用表示器３１４ａ（図３参照）により表示される表示部である。
【００２１】
また、カードユニット３の前面に設けられたボタンのうち、硬貨返却ボタン３０４は、硬貨投入口３０３から投入された硬貨が詰まった場合等において、硬貨を返却させる際に押圧するボタンである。貸出単位変更ボタン３０６は、貸出単位を変更する際に押圧するボタンである。端数ボタン３０８は、度数表示部３０９の表示内容を変更表示させる際に押圧するボタンである。テンキー３１５は、暗証番号等の入力を行う際に操作するキーである。プレイ選択ボタン３１６は、度数を用いて遊技を実施するか、若しくは貯蓄玉数を用いて遊技を実施するかを選択する際に押圧するボタンである。エンターボタン３１７は、暗証番号を決定する場合や貯蓄玉数の払戻を実施する際に押圧するボタンである。
【００２２】
また、会員カード挿入口３１９とビジターカード装着口３１８とは、遊技者から見て左右に並設配置されている。会員カード挿入口３１９は、内蔵されるカードリーダライタ３２７（図３参照）の会員カードスロット（図示略）に連設されており、この会員カード挿入口３１９を介して会員カードを会員カードスロットに挿入可能とされている。また、ビジターカード装着口３１８は、カードリーダライタ３２７のビジターカード収容室（図示略）に連設されており、このビジターカード装着口３１８を介してビジターカードをビジターカード収容室に装着可能とされている。
【００２３】
また、ビジターカード収容室にビジターカードが装着された際には、この装着されたビジターカードの先端がビジターカード装着口３１８から突出する態様にて装着されるようになる。また、このビジターカード装着口３１８の前面には、透明カバー部材３１８’が取付けられるようになっており、これによりカードリーダライタ３２７に装着されたビジターカードが、透明カバー部材３１８’を通して視認できるとともに、透明カバー部材３１８’により装着されたビジターカードの抜き取りができない状態とされる。
【００２４】
図３は、カードユニット３の構成を示すブロック図である。カードユニット３は、読み出し手段としてのカードリーダライタ３２７と、制御ユニット３２８と、から主に構成されている。
【００２５】
カードリーダライタ３２７は、前述した会員カードやビジターカードの記録情報の読み出し並びに書き込みを行うとともに、ＨＵＢ８’を介してシステムコントローラ１００とデータ通信可能に接続されており、挿入された会員カードに記録されたカードＩＤや度数の認証等がシステムコントローラ１００との間で行われる。
【００２６】
制御ユニット３２８には、前述した各種ＬＥＤや表示器、スイッチ等の各種電気部品や紙幣識別ユニット３２２、硬貨識別ユニット３２４、が接続されている。
【００２７】
制御ユニット３２８に接続された各種スイッチのうち、貸出単位変更スイッチ３０６ａは、貸出単位変更ボタン３０６の操作を検知するスイッチであり、端数スイッチ３０８ａは、端数ボタン３０８の操作を検知するスイッチであり、テンキースイッチ３１５ａは、テンキーの操作を検知するスイッチであり、プレイ選択スイッチ３１６ａは、プレイ選択ボタン３１６の操作を検知するスイッチであり、エンタースイッチ３１７ａは、エンターボタン３１７の操作を検知するスイッチである。
【００２８】
また、制御ユニット３２８には、特に図示しないが、接続されたパチンコ機２に設けられる貸出ボタン（パチンコ玉の貸出を行う際に操作されるボタン）や返却ボタン（受付け中の会員カードを返却させる際に操作されるボタン）の操作を検知する貸出スイッチや返却スイッチが接続されている。
【００２９】
制御ユニット３２８に接続された紙幣識別ユニット３２２は、紙幣挿入口３０２に投入された紙幣を取り込んでその真贋や紙幣種別の識別を行う。また、硬貨識別ユニット３２４は、硬貨投入口３０３より投入された硬貨の真贋並びに硬貨種別の識別を行う。
【００３０】
制御ユニット３２８に接続された各種ＬＥＤや表示器は、制御ユニット３２８により制御される。また、制御ユニット３２８は、各種スイッチの検出信号や、紙幣識別ユニット３２２や硬貨識別ユニット３２４による識別信号を受けて各種の制御を行う。
【００３１】
また、制御ユニット３２８は、対応するパチンコ機２と接続されており、貸出処理に伴う各種の信号の授受が可能とされているとともに、制御ユニット３２８には、対応するパチンコ機２からの外部出力信号線が接続可能な信号入力部３３２が接続されており、この信号入力部３３２を介してパチンコ機２から出力される遊技情報である始動信号や、通常の大当り時に出力される遊技状態情報である大当り信号１、次回の大当りまでの間、大当り確率が向上する特典を有する確率変動大当り時に出力される遊技状態情報である大当り信号２や、遊技島内部のパチンコ機２の上方位置に設けられた補給球計数器２４（図２参照）から、パチンコ機２に所定数のパチンコ球が補給される毎に出力される遊技情報である補給信号や、遊技島内部のパチンコ機２の下方位置に設けられたアウト球計数器２６（図２参照）から、パチンコ機２にて遊技に使用され、該パチンコ機２から排出されたパチンコ球が所定数となった都度毎に出力される遊技情報である打込信号が制御ユニット３２８に入力されるようになっており、制御ユニット３２８は、起動時から前記始動信号の入力に基づく始動回数と、補給信号の入力に基づく補給玉数と、打込信号の入力に基づく打込玉数の各データを累積加算して記憶している。
【００３２】
また、制御ユニット３２８は、前述したカードリーダライタ３２７とデータ通信可能に接続されており、各種コマンドの送受が実施可能とされているとともに、通信部３３４並びにＨＵＢ８’を介してホールコンピュータ１４０とデータ通信可能に接続されており、前記信号入力部３３２を介して入力されてきた信号の有無に基づき累積加算して記憶されている始動回数や、補給玉数や、打込玉数のデータと、前記大当り信号１や大当り信号２の入力の有無を示すデータと、対応するパチンコ機２の機種を特定可能な情報である台番号とを含む所定長の遊技情報データが所定時間間隔（本実施例では約１０秒）毎に前記ホールコンピュータ１４０に対し、該制御ユニット３２８に設けられた通信部３３４より送信される。尚、遊技状態信号である大当り信号１や大当り信号２の信号出力状態に変化があった場合には、変化のあった大当り信号１や大当り信号２の有無の内容を反映した新たな遊技情報データが、所定時間間隔以外の、該信号出力状態に変化があった時点にて迅速にホールコンピュータ１４０に送信される。
【００３３】
本実施例のカードユニット３は、会員カード挿入口３１９に挿入された会員カードの使用の可／不可を判別する受付処理と、この受付処理において受付けられた会員カードより読み出された度数を使用して、対応するパチンコ機２に対してパチンコ玉の貸出を実施させる貸出処理と、会員カードが受付中でかつ残存する度数が０度の場合であって、紙幣（１０００円紙幣、２０００円紙幣、５０００円紙幣、１００００円紙幣）または硬貨（１００円硬貨、５００円硬貨）が挿入または投入されて識別された場合に、この識別された金額に相当する度数を、受付けられている会員カードより読み出された度数に加算する追加入金処理と、会員カードが受付けられていない場合に低額紙幣（１０００円紙幣）または硬貨（１００円硬貨、５００円硬貨）が挿入または投入されて識別された場合に、この識別された金額に相当する度数をビジターカード装着口３１８に装着されているビジターカードに記録した後、この記録した度数の全てを使用して対応するパチンコ機２に対してパチンコ玉の貸出を実施させる発行貸出処理、対応するパチンコ機２に対して以前の遊技にて貯蓄した貯蓄玉数のうちの所定数のパチンコ玉の払い戻しを実施させる払戻処理と、を行うようになっている。
【００３４】
ここで、本実施例に用いたホールコンピュータ１４０の構成について図４に基づいて説明すると、該ホールコンピュータ１４０の内部にてデータの送受を行うデータバス１４１に、各パチンコ機２から出力され、前記カードユニット３を介して送信された前記遊技情報データに基づいて、各パチンコ機２における稼働状態の判定処理や、後述する遊技情報テーブルの内容や、図９に示される稼働率推移状況画面を表示するための機種別稼働率テーブル（図６参照）の内容を更新、集計する更新集計処理や、各機種毎に各機種に属する全パチンコ機２の台数に占める遊技者が遊技中であって稼働中と判定されたパチンコ機２の台数の割合である稼働率を算出する稼働率算出処理や、後述する出力データ指定画面の時間帯抽出において指定された条件に合致する時間帯を抽出する抽出処理を実施するＣＰＵ１４２、ワークメモリ等として使用されるＲＡＭ１４３、時刻情報やカレンダ情報を出力するＲＴＣ１４４、磁気ディスクや光磁気ディスクから成る記憶装置１４５、稼働率識別表示設定画面や出力データ指定画面の設定内容の入力並びに選択入力を行うためのキーボードやマウス等の入力装置１４６、前記稼働率識別表示設定画面や出力データ指定画面等の設定画面や、図９に示す稼働率推移状況画面や、図１０に示す時間帯抽出結果画面等の各種画面を表示出力するための表示装置１４７や、前記表示装置１４７に表示出力された表示データを印刷出力するためのプリンタ１４８、前記ハブ８’を介してカードユニット３の制御ユニット３２８から送信される前記遊技情報データの受信等、該制御ユニット３２８との間において各種データ通信を行うための通信部１４９、が接続された通常のコンピュータである。
【００３５】
また、前記記憶装置１４５には、該ホールコンピュータ１４０が実施する各パチンコ機２における稼働状態の判定処理や、前記遊技情報テーブル並びに機種別稼働率テーブルの内容を更新、集計する更新集計処理や、各機種毎の前記稼働率を算出する稼働率算出処理や、前記時間帯を抽出する抽出処理等を実施するための処理プログラムに加えて、図５に示すように、各パチンコ機２に関する情報が登録、管理される遊技情報テーブルと、各機種毎における各機種に属する全パチンコ機２の台数に占める稼働中と判定されたパチンコ機２の台数の割合である稼働率が、各時間帯毎に算出されて記憶、管理される機種別稼働率テーブルが記憶されている。
【００３６】
本実施例に用いた遊技情報テーブルは、図５に示すように、遊技機であるパチンコ機２に固有に付与された台番号に対応付けて、該パチンコ機２の機種と、本日、前日、前々日の３日間の遊技情報が記憶できるようになっていて、前記カードユニット３の制御ユニット３２８から送信されてくる遊技情報データ列中に含まれる補給玉数データに基づく補給玉数、前記遊技情報データ列中の打込玉数データに基づく打込玉数、これら補給玉数と打込玉数の差に基づく遊技場側の差玉数、前記遊技情報データ列中の始動回数に基づく総スタート回数、大当り信号１並びに大当り信号２の有無を示すデータに基づいて大当りと判定された回数である大当り回数、大当り信号２の有無を示すデータに基づいて確率変動状態と判定された回数である確変回数、前記総スタート回数と大当り回数との比である大当り確率、並びに各大当り間のスタート回数１，２・・・とが、記録されるようになっているとともに、本日データについては、前記遊技情報データ列中に含まれる遊技情報である始動回数や補給玉数や打込玉数の所定時間内の変化の有無、並びに遊技状態情報である大当り信号１や大当り信号２の入力の有無を示すデータに基づき判定される稼働状況と、大当り信号１や大当り信号２の入力の有無を示すデータに基づき判定される遊技状態とが記憶されるようになっている。
【００３７】
これら遊技情報テーブルの更新に伴なう稼働状態の判定処理について図１１に示すフロー図に基づいて説明すると、前記ＣＰＵ１４２は、前記カードユニット３を介して送信された前記遊技情報データに含まれる大当り信号１や大当り信号２の入力の有無を示すデータにより、遊技状態情報である大当り信号１或いは大当り信号２の入力が有る状態、つまり大当り中か或いは確変大当り中のいずれかの状態であるかを判定し（Ｓ１）、大当り中か或いは確変大当り中のいずれかの状態である場合にはＳ３へ進んで稼働中と判定した後、遊技情報テーブルの稼働状況を「稼働中」とするとともに、遊技状態を「大当中」か或いは「確変中」として遊技情報テーブルを更新する。
【００３８】
また、Ｓ１において遊技状態情報である大当り信号１或いは大当り信号２の入力が無い状態であると判定された場合には、Ｓ２へ進んで前記遊技情報データに含まれる遊技情報である始動回数、補給玉数、並びに打込玉数と、遊技情報テーブルにおいて記遊技情報データに含まれる台番号に対応して記憶されている始動回数、補給玉数、並びに打込玉数の数値とを比較し、これら数値に変化があるか否かを判定し、変化が有る場合、つまりは数値が増加している場合には、Ｓ３へ進んで稼働中と判定した後、遊技情報テーブルの稼働状況を「稼働中」とするとともに、該遊技情報テーブルの始動回数、補給玉数、並びに打込玉数の数値を前記遊技情報データに含まれる始動回数、補給玉数、並びに打込玉数の数値に更新し、Ｓ２において変化が無い場合、つまりは数値が増加していない場合には、Ｓ５に進んで非稼働中と判定した後、遊技情報テーブルの稼働状況を「非稼働」に更新する。
【００３９】
このように本実施例においては、前記遊技情報である始動信号、補給信号、打込信号の入力に伴う始動回数、補給玉数、打込玉数の変化がある場合、或いは前記遊技状態情報である大当り信号１或いは大当り信号２の入力が有る場合において、前記遊技情報テーブルの稼働状況に「稼働中」が登録されることで、該稼働状況に「稼働中」が登録されている期間が稼働期間として前記稼働率が算出されるようになるため、例えば大当り中や離席等においても前記遊技情報である始動信号、補給信号、打込信号の入力或いは前記遊技状態情報である大当り信号１或いは大当り信号２の入力のいずれかが入力されていれば稼働期間とされるようになるので、これら大当り中や離席等を考慮した正確な稼働率を算出できることから好ましいが、本発明はこれに限定されるものではなく、例えば、パチンコ機２から稼働中を示す稼働信号が出力されている場合等においては、該稼働信号の入力に基づいて遊技者が遊技中か否かである稼働判定を実施するようにしても良い。
【００４０】
また、本実施例では、制御ユニット３２８に設けられた通信部３３４より送信される遊技情報データの送信間隔が１０秒であるため、１０秒の間、始動回数、補給玉数、並びに打込玉数の数値が変化しなければ非稼働と判定されるが、これら数値に変化があるか否かの判定対象とする期間は、例えば、３０秒、１分、３分等、適宜設定すれば良い。
【００４１】
また、本実施例に用いた機種別稼働率テーブルは、図６に示すように、所定時間間隔である１０分間隔毎の稼働率が、全機種並びに各機種毎に算出されて記憶されるとともに、１時間を１つの時間帯として、各時間帯に属する１０分間隔毎の稼働率の平均が算出されて、時間帯平均として記憶されるようになっており、図６には本日分がしめされているが、本日以前の所定期間におけるデータが機種別稼働率テーブルには登録されている。
【００４２】
尚、本実施例では、前記機種別稼働率テーブルに登録される所定時間間隔を１０分としているが、本発明はこれに限定されるものではなく、これらの所定時間間隔は適宜に選択すれば良いとともに、状況に応じて変更可能に設定できるようにしても良い。
【００４３】
本実施例のホールコンピュータ１４０の表示装置１４７には、図示しない設定メニューから「稼働率識別表示設定」を選択することで、図７に示す稼働率識別表示設定画面が表示されるようになっており、該稼働率識別表示設定画面において、図９に示す稼働率推移状況表示画面にて数値表示される稼働率の表示態様を、その他の稼働率の表示態様と異なる表示態様にて表示させるための設定を行うことができるようになっている。
【００４４】
本実施例の稼働率識別表示設定画面には、図７に示すように、識別表示の対象とする良い方の稼働率の所定値（例えば６０％、７０％、８０％等）と、悪い方の稼働率の所定値（例えば３０％、２０％、１０％等）とを設定できるとともに、該設定した所定値を適用する対象機種並びに対象曜日を設定できるようになっており、これら対象機種と対象曜日とを組み合わせることで、各機種毎で曜日別に前記稼働率の所定値を設定変更できるようになっている。
【００４５】
尚、本実施例においては、前記対象機種のポップアップメニュー内には「全機種」の項目が設けられており、該「全機種」の項目を選択するとともに、対象曜日の項目を適宜に選択することで、全ての機種に共通として曜日別に個別の稼働率の所定値を設定できるようになっているとともに、前記対象曜日のポップアップメニュー内には「全曜日」の項目が設けられており、該「全曜日」の項目を選択するとともに、対象機種の項目を適宜に選択することで、全ての曜日に共通として機種別に個別の稼働率の所定値を設定できるようになっている。
【００４６】
このように本実施例では、稼働率を異なる表示態様にて表示させるための稼働率の所定値設定を機種毎に設定変更できるようになっており、このようにすることは、遊技機の機種の仕様や導入期間などにより、元々機種毎に稼働率の善し悪しが存在することから、これら機種による稼働率の善し悪しに対応した所定稼働率を設定変更することができることから好ましいが、本発明はこれに限定されるものではなく、これら機種毎の所定稼働率の設定変更を不可としても良い。
【００４７】
また、本実施例では、稼働率を異なる表示態様にて表示させるための稼働率の所定値設定を曜日別に設定変更できるようになっており、このようにすることは、通常において稼働率は曜日によって変化するので、これら曜日による稼働率の変化に対応した所定稼働率を設定変更することができることから好ましいが、本発明はこれに限定されるものではなく、これら曜日別の所定稼働率の設定変更を不可としても良い。
【００４８】
尚、本実施例の対象曜日には各曜日と全曜日とを選択できるようにしているが、本発明はこれに限定されるものではなく、例えば、イベント日等においては稼働率が通常の日よりも高くなることから、これら対象曜日の選択内容としてイベント日を選択できるようにしても良い。
【００４９】
また、本実施例では、稼働率を異なる表示態様にて表示させるための稼働率の所定値設定を所定値以上とする良い方の稼働率と、所定値以下とする悪い方の稼働率の双方を設定できるようにしているが、本発明はこれに限定されるものではなく、これらのいずれか一方のみの稼働率の所定値を設定できるようにしても良い。
【００５０】
本実施例のホールコンピュータ１４０の表示装置１４７には、図８に示すように、図示しない出力メニューから「出力データ指定」を選択することで、前記機種別稼働率テーブルに登録されている情報に基づく出力データを指定するための出力データ指定画面が表示されるようになっている。
【００５１】
この本実施例の出力データ指定画面には、その上方位置に図９に示す稼働率推移状況画面に表示させる推移表示の内容を指定するための稼働率推移の項目が設けられており、該稼働率推移の項目において、稼働率推移状況画面に表示させる推移表示の対象日と、推移表示の対象機種とを選択入力できるようになっており、これら推移表示の対象日と、推移表示の対象機種を選択入力した後、該稼働率推移の項目に表示されている「表示」の選択入力部を選択入力することで、該推移表示の対象日の機種別稼働率テーブルに登録されている選択入力された各対象機種の各時間帯の稼働率が抽出されて、稼働率推移状況画面の下方位置に各機種毎に時系列的に表示されるとともに、該時系列的に表示された各時間帯に対応するように、当該時間帯の稼働率に基づく推移グラフが各機種毎に生成されて表示されるようになっている。
【００５２】
更に、図７に示す稼働率識別表示設定画面にて設定された設定内容を、推移表示の対象日の曜日から各機種毎に特定する。例えば推移表示の対象日として１月５日が指定された場合には、該１月５日が日曜日であることを前記ＲＴＣ１４４から出力されるカレンダ情報から特定し、推移表示の対象機種として選択されている機種ａ、機種ｂ、機種ｃの対象曜日として日曜日に設定されている識別表示設定のそれぞれの設定内容、例えば機種ａであれば、良い方の稼働率の所定値が６０％で悪い方の稼働率の所定値が３０％、機種ｂであれば、良い方の稼働率の所定値が５０％で悪い方の稼働率の所定値が１０％、機種ｃであれば、良い方の稼働率の所定値が６０％で悪い方の稼働率の所定値が１０％、のように特定する。
【００５３】
これら特定した各機種毎の識別表示設定の設定内容に基づいて、稼働率推移状況画面の下方位置に時系列的に表示される稼働率の数値表示の中から、該識別表示設定の設定内容に該当する稼働率の数値表示を特定し、悪い方の稼働率に該当する稼働率の表示領域を悪い稼働率に対応する表示態様である赤色（図９においてはクロスハッチにて示すが）にて表示し、良い方の稼働率に該当する稼働率の表示領域を良い稼働率に対応する表示態様である青色（図９においてはストレートハッチにて示す）にて表示する。
【００５４】
このように本実施例では、稼働率の推移状況を、推移グラフ表示と時系列的数値表示の双方にて表示するとともに、前記識別表示設定の設定内容に該当する稼働率の数値表示を異なる表示態様にて表示するようにしており、このようにすることは、稼働率推移の機種間での比較はグラフ態様の表示出力により簡便に行うことができ、稼働の良い時間帯や稼働の悪い時間帯の把握は、時系列的数値態様の表示出力にて一見して明確に把握できるため、どちらか一方の表示出力態様のみの場合に比較して、より把握し易い表示出力となることから好ましいが、本発明はこれに限定されるものではなく、これらグラフ態様の表示出力或いは時系列的数値態様の表示出力のいずれか一方のみを表示出力して、該いずれか一方の表示出力にて、前記識別表示設定の設定内容に該当する稼働率に該当する表示を異なる表示態様にて表示出力するようにしても良い。
【００５５】
また、本実施例では、出力データ指定画面にて対象機種を複数選択可能とされており、選択された複数の機種毎の稼働率の推移状況が図９に示す稼働率推移状況画面として表示されるようになっているが、本発明はこれに限定されるものではなく、出力データ指定画面にて対象機種を１機種のみ選択可能とし、選択された機種の稼働率の推移状況が稼働率推移状況画面として表示されるようにしたものでも本発明に含まれる。
【００５６】
また、本実施例では、遊技機の機種別の稼働率の推移状況が稼働推移状況画面として表示されるようになっているが、例えば、出力データ指定画面にて対象とする遊技機の種類（パチンコ機、スロットマシン）や遊技機の種別（第１種パチンコ機、第２種パチンコ機、第３種パチンコ機）を選択可能とし、選択された遊技機の種類毎、または種別毎の稼働率の推移状況が稼働推移状況画面として表示するようにしても良く、このようにすることで遊技機の稼働率の推移をより多面的に把握することが可能となる。
【００５７】
また、本実施例では、悪い稼働率に対応する表示態様を赤色とし、良い稼働率に対応する表示態様を青色として、その他の稼働率表示と異なる表示態様として表示色としているが、本発明はこれに限定されるものではなく、これら表示態様としては、表示文字のフォントや文字の大きさ等をその他の稼働率表示の表示文字のフォントや文字の大きさと異なるようにしても良く、これら表示出力の態様は適宜に選択すれば良い。
【００５８】
また、本実施例では、悪い稼働率に対応する表示態様と良い稼働率に対応する表示態様とを個別の表示態様としており、このようにすることは、良い稼働率と悪い稼働率を容易に判別できることから好ましいが、本発明はこれに限定されるものではなく、これらの良い稼働率と悪い稼働率の表示態様を同一のものとしても良い。
【００５９】
更に本実施例では、前記識別表示設定の設定内容に該当する時間帯の異なる表示態様を、時系列的数値態様の表示出力にて実施しているが、本発明はこれに限定されるものではなく、これら異なる表示態様を、例えば前記識別表示設定の設定内容に該当する時間帯のグラフ上の領域を、他の領域と異なる表示態様とする等により実施するようにしても良い。
【００６０】
また、本実施例においては図９に示すように、前記稼働率の時系列数値表示の終端位置には、各機種毎の各時間帯の稼働率に基づく平均が、各機種毎に算出されて表示されるとともに、推移表示の対象日における全機種の稼働率平均が、前記機種別稼働テーブルに記憶されている全機種の各時間帯の稼働率に基づいて算出されて表示されるようになっており、このようにすることは、これら表示対象日における各機種毎並びに全機種の一日の平均値が稼働率の推移状況とともに表示出力されることで、推移状況における各時間帯の稼働率がこれら平均値からどの程度離れているかを簡便に把握でき、例えば、これら平均値からの離れ度合いに応じたサービスを検討できることから好ましいが、本発明はこれに限定されるものではなく、これら平均値の算出、並びに表示を実施しない構成としても良い。
【００６１】
また、本実施例の前記出力データ指定画面の下方には、図１０に示す時間帯抽出結果画面に表示させる時間帯を抽出するための抽出条件を設定する時間帯抽出の項目が設けられており、該時間帯抽出の項目内には、抽出表示の対象とする対象機種と対象期間とを選択するとともに、時間帯の稼働率が所定値以上または所定値以下となった回数を設定するための稼働率の所定値と、回数とを選択設定できるようになっており、該時間帯抽出の項目内において、抽出対象とする機種と期間、並びに稼働率の所定値と回数とを設定した後、「表示」の選択入力部を選択入力することで、該設定された対象期間に該当する各営業日の機種別稼働率テーブルに記憶されている対象機種の各時間帯の稼働率データに基づいて、該設定された所定値以上或いは所定値以下の稼働率が記憶されている回数を各時間帯毎に集計し、該集計した回数が設定された所定回数以上である場合に、その時間帯を抽出するとともに、対象期間における該時間帯の稼働率の平均を算出し、該算出した当該時間帯の平均値と前記集計した当該時間帯において設定された所定値以上の稼働率が記憶されている回数である「条件を満たした回数」とを抽出した時間帯に対応付けて表示するようになっている。
【００６２】
このように、稼働率が前記時間帯抽出の項目内において設定された所定値である抽出稼働率以上または抽出稼働率以下となった回数が、前記時間帯抽出の項目内において設定された所定期間である対象期間内において所定回数以上である時間帯を抽出して、図１０に示す時間帯抽出結果として表示することは、所定期間内において繰り返し高い稼働率となった時間帯、或いは所定期間内において繰り返し低い稼働率となった時間帯を簡便に把握することができることから好ましいが、本発明はこれに限定されるものではなく、これらの時間帯抽出処理並びに時間帯抽出結果画面の表示を実施しないようにしても良い。
【００６３】
以上説明したように、本実施例の遊技用システムによれば、稼働率が予め定められた所定稼働率以上および所定稼働率以下である時間帯が、前記ＣＰＵ１４２が前記時間帯特定手段として機能することにより特定され、該特定された時間帯が他の時間帯とは異なる出力態様である表示色にて出力されるようになるので、各機種における稼働の良い時間帯や悪い時間帯を、一見して簡便に把握することができる。
【００６４】
前記実施例における各要素は、本発明に対して以下のように対応している。
【００６５】
本発明の請求項１は、遊技機（パチンコ機２）において遊技者が遊技中であるか否かを特定可能な情報と、当該遊技機（パチンコ機２）の機種を特定可能な情報（台番号）とが入力される情報入力手段（通信部１４９）と、該情報入力手段（通信部１４９）に入力された情報に基づいて、各機種毎に、当該機種に属する全遊技機（パチンコ機２）に占める遊技者が遊技中である遊技機（パチンコ機２）の割合である稼働率を所定の時間帯毎に算出する稼働率算出手段（ＣＰＵ１４２）と、該稼働率算出手段（ＣＰＵ１４２）にて算出された稼働率を機種ごとに記憶する稼働率記憶手段（記憶装置１４５；機種別稼働率テーブル）と、該稼働率記憶手段（記憶装置１４５；機種別稼働率テーブル）の記憶情報に基づく複数機種の稼働率の推移状況を併せて出力する出力手段（表示装置１４７、プリンタ１４８）と、を備える遊技用管理装置（ホールコンピュータ１４０）であって、前記稼働率記憶手段（記憶装置１４５；機種別稼働率テーブル）の記憶情報に基づいて稼働率が予め定められた所定稼働率以上および／または所定稼働率以下である時間帯を各機種毎に特定する時間帯特定手段（ＣＰＵ１４２）を備え、前記出力手段（表示装置１４７、プリンタ１４８）は、前記時間帯特定手段（ＣＰＵ１４２）にて特定された時間帯の出力態様を、当該特定された時間帯以外の時間帯の出力態様とは異ならせて、前記稼働率の推移状況を出力する。
【００６６】
本発明の請求項２は、前記所定稼働率を機種毎に設定変更するための機種別設定手段（入力装置１４６、稼働率識別表示設定画面）を備える。
【００６７】
本発明の請求項３は、前記所定稼働率を曜日別に設定変更するための曜日別設定手段（入力装置１４６、稼働率識別表示設定画面）を備える。
【００６８】
本発明の請求項４は、前記遊技者が遊技中か否かを特定可能な情報は、遊技機（パチンコ機２）において遊技者が遊技を行っていることを条件として発生する遊技情報（補給情報、打込情報、始動情報）と、遊技機（パチンコ機２）の遊技状態を示す遊技状態情報（大当り情報１、大当り情報２）とを含み、前記稼働率算出手段（ＣＰＵ１４２）は、前記遊技情報（補給情報、打込情報、始動情報）と前記遊技状態情報（大当り情報１、大当り情報２）のいずれかが前記情報入力手段（通信部１４９）に入力されている期間を稼働期間として前記稼働率を算出する。
【００６９】
本発明の請求項５は、前記稼働率記憶手段（記憶装置１４５；機種別稼働率テーブル）の記憶情報に基づいて、各機種の稼働率の一日の平均値を算出する平均値算出手段（ＣＰＵ１４２）を備え、前記出力手段（表示装置１４７、プリンタ１４８）は、前記平均値算出手段（ＣＰＵ１４２）にて算出された前記一日の平均値を稼働率の推移状況と併せて出力する。
【００７０】
本発明の請求項６は、前記出力手段（表示装置１４７、プリンタ１４８）は、前記稼働率の推移状況をグラフ態様と時系列的数値態様の両方にて出力し、該時系列的数値態様の出力において、前記時間帯特定手段（ＣＰＵ１４２）にて特定された時間帯の出力態様を、当該特定された時間帯以外の時間帯の出力態様と異ならせて出力する。
【００７１】
本発明の請求項７は、前記稼働率記憶手段（記憶装置１４５；機種別稼働率テーブル）の記憶情報に基づいて、稼働率が予め定められた抽出稼働率以上または予め定められた抽出稼働率以下となった回数が、予め定められた所定期間内において所定回数以上である時間帯を抽出する抽出手段（ＣＰＵ１４２）を備え、前記抽出手段（ＣＰＵ１４２）にて抽出された時間帯を出力する抽出結果出力手段（表示装置１４７、プリンタ１４８）を備える。
【００７２】
以上、本発明の実施形態を図面により前記実施例にて説明してきたが、本発明はこれら実施例に限定されるものではなく、本発明の主旨を逸脱しない範囲における変更や追加があっても本発明に含まれることは言うまでもない。
【００７３】
例えば、前記実施例の遊技用システムでは、出力手段として表示出力をする表示装置１４７を中心に説明したが、これら表示装置１４７に表示出力される内容を前記プリンタ１４８にて印刷出力するようにしても良い。
【００７４】
また、前記実施例では、遊技状態情報として遊技機であるパチンコ機２において通常の大当り中において出力される大当り１信号と、確変大当り中において出力される大当り２信号を例に説明しているが、本発明はこれに限定されるものではなく、例えばパチンコ機２が大当りの終了後に始動入賞がし易い通常有利状態となる場合には、該通常有利状態であることを示す「時短信号」を遊技状態情報として含むようにし、該「時短信号」の入力がある場合においては、大当り１信号や大当り２信号の入力が有る場合と同様に、遊技者が遊技中である「稼働中」と判定するようにしても良い。
【００７５】
また、前記実施例においては、稼働率の推移グラフとして折線グラフを使用したが、これら折線グラフは複数の機種の稼働率の推移を表示するのに好適であるが、本発明はこれに限定されるものではなく、これらグラフ表示の形態としてその他の形態のグラフ、例えば棒状グラフ等を立体視的に表示するようにしても良い。
【００７６】
また、前記実施例においては、前記パチンコ機２から出力される各種信号を、前記カードユニット３の信号入力部３３２に入力し、該カードユニット３を介してホールコンピュータ１４０に各種信号の入力状況を送信するようにしているが、本発明はこれに限定されるものではなく、これらパチンコ機２から出力される各種信号を専用の中継ユニット等を介してホールコンピュータ１４０に伝送して入力するようにしても良い。
【００７７】
また、前記実施例においては、遊技機の一例としてパチンコ玉を用いて遊技を行う通常のパチンコ機２を適用しているが、本発明はこれに限定されるものではなく、その他の遊技機、例えばメダルやパチンコ玉を用いて遊技を行うスロットマシンやパチンコ玉が内部で循環する循環式パチンコ機や、メダルやパチンコ玉を用いることなくクレジットを用いて遊技を行う完全クレジット式のスロットマシン等の遊技機を適用しても良い。
【００７８】
また、前記実施例では、遊技機の機種を特定可能な情報として台番号を用いているが、本発明はこれに限定されるものではなく、これら台番号に代えて、カードユニット３に固有に付与された装置ＩＤと該カードユニット３が対応するパチンコ機２の機種とをホールコンピュータ１００に登録しておき、該装置ＩＤを遊技機の機種を特定可能な情報として使用するようにしても良い。
【００７９】
【発明の効果】
本発明は次の効果を奏する。
【００８０】
（ａ）請求項１の発明によれば、稼働率が予め定められた所定稼働率以上および／または所定稼働率以下である時間帯が前記時間帯特定手段にて特定され、該特定された時間帯が他の時間帯とは異なる出力態様にて出力されるようになるので、各機種における稼働の良い時間帯や悪い時間帯を、一見して簡便に把握することができる。
【００８１】
（ｂ）請求項２の発明によれば、遊技機の機種の仕様や導入期間などにより、元々機種毎に稼働率の善し悪しが存在することから、これら機種による稼働率の善し悪しに対応した所定稼働率を設定変更することができる。
【００８２】
（ｃ）請求項３の発明によれば、通常において稼働率は曜日によって変化するので、これら曜日による稼働率の変化に対応した所定稼働率を設定変更することができる。
【００８３】
（ｄ）請求項４の発明によれば、前記遊技情報と前記遊技状態情報のいずれかが前記情報入力手段に入力されている期間が稼働期間として前記稼働率が算出されるようになるため、例えば大当り中や離席等においても前記遊技情報或いは前記遊技状態情報のいずれかが前記情報入力手段に入力されていれば稼働期間とされるようになるので、これら大当り中や離席等を考慮した正確な稼働率を算出できる。
【００８４】
（ｅ）請求項５の発明によれば、前記平均値算出手段にて算出された前記一日の平均値が稼働率の推移状況とともに出力されることで、推移状況における各稼働率が平均値からどの程度離れているかを簡便に把握でき、例えば、これら平均値からの離れ度合いに応じたサービスを検討できる。
【００８５】
（ｆ）請求項６の発明によれば、稼働率推移の機種間での比較はグラフ態様の出力により簡便に行うことができ、稼働の良い時間帯や稼働の悪い時間帯の把握は、時系列的数値態様の出力にて一見して明確に把握できるため、どちらか一方の出力態様のみの場合に比較して、より把握し易い出力となる。
【００８６】
（ｇ）請求項７の発明によれば、予め定められた抽出稼働率以上または予め定められた抽出稼働率以下となった回数が、予め定められた所定期間内において所定回数以上である時間帯、すなわち所定期間内において繰り返し高い稼働率となった時間帯、或いは所定期間内において繰り返し低い稼働率となった時間帯を簡便に把握することができる。
【図面の簡単な説明】
【図１】本発明の実施例における管理装置としてのホールコンピュータが適用された遊技用システムの構成を示す図である。
【図２】本発明の実施例において用いたパチンコ機並びにカードユニットの正面図である。
【図３】本発明の実施例におけるカードユニットの構成を示すブロック図である。
【図４】本発明の実施例におけるホールコンピュータの構成を示すブロック図である。
【図５】本発明の実施例に用いたホールコンピュータの遊技情報テーブルを示す図である。
【図６】本発明の実施例に用いたホールコンピュータの機種別稼働率テーブルを示す図である。
【図７】本発明の実施例に用いたホールコンピュータにおける稼働率識別表示設定画面を示す図である。
【図８】本発明の実施例に用いたホールコンピュータにおける出力データ指定画面を示す図である。
【図９】本発明の実施例に用いたホールコンピュータにおける稼働率推移状況表示画面を示す図である。
【図１０】本発明の実施例に用いたホールコンピュータにおける時間帯抽出結果画面を示す図である。
【図１１】本発明の実施例に用いたホールコンピュータにおける稼働判定処理の内容を示すフロー図である。
【符号の説明】
２          パチンコ機
３        カードユニット
１４０    ホールコンピュータ
１４５    記憶装置
１４６    入力装置
１４７    表示装置
１４８    プリンタ
１４９    通信部
【図１】
2004275224.tif 000003
【図２】
2004275224.tif 000004
【図３】
2004275224.tif 000005
【図４】
2004275224.tif 000006
【図５】
2004275224.tif 000007
【図６】
2004275224.tif 000008
【図７】
2004275224.tif 000009
【図８】
2004275224.tif 000010
【図９】
2004275224.tif 000011
【図１０】
2004275224.tif 000012
【図１１】
2004275224.tif 000013